(57)【要約】【課題】  電子データが、予め定められた要領・基準に従って作成されているかを管理するプログラムにおいて、電子データの修正に関わるユーザの負担を軽減することが可能なプログラムを提供することである。【解決手段】  本発明のデータチェック管理プログラムは、電子データが予め定められた要領・基準に従って作成されているか管理する処理をコンピュータに実現させるプログラムにおいて、電子データが前記要領・基準に従って作成されているかについて、前記電子データの種別に対応する１以上のエラー検出処理を用いてチェックするステップ（Ｓ２）と、前記要領・基準に従って作成されていない箇所であるエラーの発生箇所とそのエラーを検出したエラー検出処理とを対応付けて前記コンピュータの記憶手段に格納するステップ（Ｓ３）と、を前記コンピュータに実行させる。【選択図】図２
2006172313.tif 000002
【特許請求の範囲】
【請求項１】
電子データが予め定められた要領・基準に従って作成されているか管理する処理をコンピュータが実行する方法において、
電子データが前記要領・基準に従って作成されているかについて、前記電子データの種別に対応する１以上のエラー検出処理を用いてチェックし、
前記要領・基準に従って作成されていない箇所であるエラーの発生箇所とそのエラーを検出したエラー検出処理とを対応付けて前記コンピュータの記憶手段に格納する、ことを特徴とするデータチェック管理方法。
【請求項２】
さらに、前記エラーの発生箇所への変更を検出し、
前記エラーの発生箇所への変更が検出された場合に、前記コンピュータの記憶手段内の該エラーの発生箇所に対応するエラー検出処理を用いて該エラーの発生箇所に再チェックを行う、ことを特徴とする請求項１記載のデータチェック管理方法。
【請求項３】
前記エラーの発生箇所への変更は、修正したファイルへのセーブ終了をトリガとして検出され、
前記再チェックにおいて、
そのセーブ終了したファイルに対応する前記記憶手段内のエラーの発生箇所の全てについて、対応するエラー検出処理を取得し、
その取得したエラー検出処理を用いて、そのセーブしたファイルに再チェックを行う、ことを特徴とする請求項２記載のデータチェック管理方法。
【請求項４】
さらに、複数の電子データから構成されるチェック対象が可搬型記憶媒体に格納される場合に、該可搬送型記憶媒体内の複数の電子データのツリー構造を取得し、かつ、その取得したツリー構造を表示し、
前記エラーの発生箇所の一覧を表示する、ことを特徴とする請求項１記載のデータチェック管理方法。
【請求項５】
さらに、複数の電子データから構成されるチェック対象が可搬型記憶媒体に格納される場合に、該可搬送型記憶媒体内の複数の電子データのツリー構造を取得し、かつ、その取得したツリー構造を表示し、
前記記憶手段の内容に基づいて、前記ツリー構造において、エラーが発生したファイル、エラーが発生したファイルを少なくとも１つ含むフォルダを他のファイルまたはフォルダと異なる表示に変更する、ことを特徴とする請求項１記載のデータチェック管理方法。
【請求項６】
電子データが予め定められた要領・基準に従って作成されているか管理する処理をコンピュータに実現させるプログラムにおいて、
電子データが前記要領・基準に従って作成されているかについて、前記電子データの種別に対応する１以上のエラー検出処理を用いてチェックするステップと、
前記要領・基準に従って作成されていない箇所であるエラーの発生箇所とそのエラーを検出したエラー検出処理とを対応付けて前記コンピュータの記憶手段に格納するステップと、
を前記コンピュータに実行させることを特徴とするデータチェック管理プログラム。
【請求項７】
前記エラーの発生箇所への変更を検出するステップと、
前記エラーの発生箇所への変更が検出された場合に、前記コンピュータの記憶手段内の該エラーの発生箇所に対応するエラー検出処理を用いて該エラーの発生箇所に再チェックを行うステップと、をさらに前記コンピュータに実行させることを特徴とする請求項６記載のデータチェック管理プログラム。
【請求項８】
前記エラーの発生箇所への変更は、修正したファイルへのセーブ終了をトリガとして検出され、
前記再チェックを行うステップは、
そのセーブ終了したファイルに対応する前記記憶手段内のエラーの発生箇所の全てについて、対応するエラー検出処理を取得するステップと、
その取得したエラー検出処理を用いて、そのセーブしたファイルに再チェックを行うステップと、を備えることを特徴とする請求項７記載のデータチェック管理プログラム。
【請求項９】
複数の電子データから構成されるチェック対象が可搬型記憶媒体に格納される場合に、該可搬送型記憶媒体内の複数の電子データのツリー構造を取得し、かつ、その取得したツリー構造を表示するステップと、
前記エラーの発生箇所の一覧を表示するステップと、をさらに前記コンピュータに実行させることを特徴とする請求項６記載のデータチェック管理プログラム。
【請求項１０】
複数の電子データから構成されるチェック対象が可搬型記憶媒体に格納される場合に、該可搬送型記憶媒体内の複数の電子データのツリー構造を取得し、かつ、その取得したツリー構造を表示するステップと、
前記記憶手段の内容に基づいて、前記ツリー構造において、エラーが発生したファイル、エラーが発生したファイルを少なくとも１つ含むフォルダを他のファイルまたはフォルダと異なる表示に変更するステップと、をさらに前記コンピュータに実行させることを特徴とする請求項６記載のデータチェック管理プログラム。
【発明の詳細な説明】
【技術分野】
【０００１】
本発明は、データチェック管理方法およびプログラムに関する。
【背景技術】
【０００２】
従来、受発注業務で発注者、例えば公共機関が指定する決まりとして、電子納品を行う際の決まりがある。この電子納品の決まりでは、ＰＤＦ，ＤＷＧ，ＸＭＬ等のファイル種別ごとに、書式、フェイル名の付け方の規則等が指定されている。例えば、複数のメディア（ＣＤ−Ｒ）にて納品を行う場合はメディア総枚数を指定すること、ＰＤＦファイルではしおりを作成すること、ＸＭＬファイルでは、図面番号は３文字以内とすること等、詳細な規定が設けられている。
【０００３】
そして、納品対象となる電子データが特定の規格に準拠しているかをチェックする電子納品チェックシステムが考えられている。例えば、下記特許文献１では、電子納品が規定に準拠してなされたか、特に規格の圧縮率の範囲内であるかをチェックする装置が開示されている。
【特許文献１】特開２００３−２３３７６９号公報  「電子納品支援装置、チェック装置およびプログラム」
【発明の開示】
【発明が解決しようとする課題】
【０００４】
しかし、特許文献１に開示される技術では、例えば、エラー項目の一覧を画面上に表示させる形式であるため、どのフォルダ、どのファイルにどれだけのエラーがあるのか一見して判断できない。また、エラーデータ修正後のエラー件数をリアルタイムまたは略リアルタイムに表示することはできない。そして、これらのことから、電子データの修正作業を行うユーザに負担がかかるという問題がある。
【０００５】
本発明の課題は、電子データが、予め定められた要領・基準に従って作成されているかを管理する際に、電子データの修正に関わるユーザの負担を軽減することが可能な管理方法およびプログラムを提供することである。
【課題を解決するための手段】
【０００６】
本発明の第１態様のデータチェック管理方法は、電子データが予め定められた要領・基準に従って作成されているか管理する処理をコンピュータが実行する方法において、電子データが前記要領・基準に従って作成されているかについて、前記電子データの種別に対応する１以上のエラー検出処理を用いてチェックし、前記要領・基準に従って作成されていない箇所であるエラーの発生箇所とそのエラーを検出したエラー検出処理とを対応付けて前記コンピュータの記憶手段に格納する、ことを特徴とするデータチェック管理方法である。
【０００７】
ここで、記憶手段には、エラーの発生箇所とそのエラーを検出したエラー検出処理とが対応付けて格納されるので、エラーが修正されたかを再チェックを行って確認する際に全てのエラー検出処理を起動する代わりに、関連箇所のエラー検出処理のみを起動して確認を行うことができ、電子データの修正に関わるユーザの負担を軽減することができる。
【０００８】
本発明の第２態様のデータチェック管理プログラムは、電子データが予め定められた要領・基準に従って作成されているか管理する処理をコンピュータに実現させるプログラムにおいて、電子データが前記要領・基準に従って作成されているかについて、前記電子データの種別に対応する１以上のエラー検出処理を用いてチェックするステップと、前記要領・基準に従って作成されていない箇所であるエラーの発生箇所とそのエラーを検出したエラー検出処理とを対応付けて前記コンピュータの記憶手段に格納するステップと、を前記コンピュータに実行させることを特徴とするデータチェック管理プログラムである。
【発明の効果】
【０００９】
本発明によれば、電子データに要領・基準に従っていない箇所（エラー箇所）が含まれる場合は、そのエラーを含む電子データの場所、件数が一見して分かるようにチェック結果の表示がなされるので、ユーザの修正作業の負荷（作業時間、コスト）を軽減できる。
【００１０】
また、本発明によれば、要領・基準から外れている電子データを修正した場合、そのデータのセーブ終了をトリガとして再チェック処理が自動的に起動されるので、ユーザはリアルタイムに修正作業の結果を確認することができ、ユーザの修正作業の負荷（作業時間、コスト）を軽減できる。
【発明を実施するための最良の形態】
【００１１】
以下、本発明の実施の形態を、図面を参照しながら詳細に説明する。
図１は、本発明の一実施形態のデータチェック管理装置の構成を示すブロック図である。
【００１２】
図１において、可搬型記憶媒体（ＣＤ−Ｒ等）１１には、１つの案件に対応する、複数の電子データから構成されるチェック対象が格納されている。各電子データは、予め定められた要領・基準に従って作成されている。
【００１３】
データチェック管理装置は、複数の電子データから構成されるチェック対象が可搬型記憶媒体１１に格納される場合に、その可搬送型記憶媒体１１内の複数の電子データを読み取って、それら複数の電子データのツリー構造を取得する電子データ読み取り機能１２と、電子データが前記要領・基準に従って作成されているかについて、前記電子データの種別に対応する１以上のエラー検出処理を用いてチェックするデータチェック機能１３と、チェック結果を示す情報、すなわち、上記要領・基準に従って作成されていない箇所であるエラー発生箇所とそのエラーを検出したエラー検出処理とを対応付けて記憶するチェック結果記憶装置１４と、上記取得した複数の電子データのツリー構造を表示するツリー表示部１６および上記エラーの発生箇所の一覧を表示するリスト表示部１７を有する表示機能１５と、上記エラーの発生箇所を含むデータ（ファイルまたはフォルダ）に修正（変更）がなされセーブ終了されたときに、そのセーブをトリガとして検出し通知するデータ変更検出機能１８と、上記エラーの発生箇所を含むデータへの修正（変更）が検出されたことを示す通知を受けて、上記チェック結果記憶装置１４内の該エラーの発生箇所に対応するエラー検出処理を用いて該エラーの発生箇所に再チェックを行うようにデータチェック機能１３に指示する再チェック指示部１９と、を備える。
【００１４】
図２は、図１のデータチェック機能１３の処理結果としてチェック結果記憶装置１４に出力されるエラーリスト例である。
図２の各項目の意味は以下のようである。
タグ＜エラー項目＞・・・１つのエラーを示す。
タグ＜メディア＞・・・何枚目の可搬型記憶媒体に格納されるデータかを示す。
タグ＜場所＞・・・そのエラーが発生したパスを示す。
タグ＜種類＞・・・そのエラーの種類を示す。
タグ＜内容＞・・・そのエラーの内容を示す。
タグ＜チェック処理ＩＤ＞・・・そのエラー項目を含むデータ（ファイルまたはフォルダ）が修正された場合に、どのエラーチェックプログラム（エラー検出処理）を起動して再チェックを行うかを示す。
【００１５】
本実施形態における電子納品の納品物は、ＣＡＤ図面等の図面ファイル、報告書ファイル、等の各種ファイル、フォルダから構成されるが、そのデータ（ファイル、フォルダ）の種別に応じて、要領・基準に規定される内容も当然異なってくる。
【００１６】
図２では、番号＝１のエラー項目として、場所「Ｄ：￥ｓａｍｐｌｅ￥ＲＥＰＯＲＴ￥ＲＥＰＯＲＴ０１．ＰＤＦ」にあるＰＤＦファイルに対し、「しおりが作成されていません」というエラーが発生した（検出された）こと、そのエラー検出にＩＤが「Ａ０４」であるプログラムが用いられたこと、が示されている。この番号＝１のエラー項目は、要領・基準では、ＰＤＦファイルに対し、しおりを作成することが規定されていて、その要領・基準に従って作成されていないものと判定された場合に相当する。
【００１７】
また、番号＝２のエラー項目として、場所「Ｄ：￥ｓａｍｐｌｅ￥ＤＲＡＷＩＮＧ￥ＤＲＡＷＩＮＧ．ＸＭＬ」にあるＸＭＬファイルに対し、「［図面番号］は３文字以内で記入して下さい」というエラーが発生したこと、そのエラー検出にＩＤが「Ｂ３７」であるプログラムが用いられたこと、が示されている。この番号＝２のエラー項目は、要領・基準では、ＸＭＬファイルに対し、［図面番号］を３文字以内で記入することが規定されていて、その要領・基準に従って作成されていないものと判定された場合に相当する。
【００１８】
図３は、データチェック処理のフローチャートである。
図３において、まず、ステップＳ１で、例えばユーザによって１つの案件に対応する、複数の電子データから構成されるチェック対象が格納されている可搬型記憶媒体（ＣＤ−Ｒ等）のパスが指定されると、その指定に対応して電子データ読み取り機能１２によって、その可搬型記憶媒体から複数の電子データが読み込まれ、それら複数の電子データのツリー構造が取得される。
【００１９】
ステップＳ２では、ユーザからのチェック指示に対応してデータチェック機能１３によって、読み込んだ複数の電子データが要領・基準に従って作成されているかについて、その電子データの種別に対応する１以上のエラー検出処理を用いてチェックが行われる。
【００２０】
ステップＳ３では、ステップＳ２のデータチェック機能１３の処理結果（チェック結果）のデータがチェック結果記憶装置１４に例えば図２に示されるようなデータ構造で書き込まれる。
【００２１】
ステップＳ４では、リスト表示部１６によって、チェック結果記憶装置１４に格納されるチェック結果のデータが読み込まれる（取得される）。ステップＳ５では、取得したチェック結果のデータがリスト表示部１６によって画面上に表示されるとともに、ステップＳ１で取得された複数の電子データに対するツリー構造がツリー表示部１７によって同じ画面上に表示される。
【００２２】
ステップＳ１〜Ｓ５までの一連の処理によって、読み込んだ電子データに対するチェック結果が画面上に表示される。読み込んだ電子データにエラーが発生している場合は、ユーザは、そのエラーに対する修正作業を行うことになる。ステップＳ６以降はこの修正処理に関するステップである。
【００２３】
ステップＳ６において、ユーザからの指示によってシステムを終了するか否かが判定される。ユーザによってシステムを終了することが指示された場合は一連の処理を終了する。ユーザから特に指示がない場合またはシステムを終了しないことが指示された場合は、ステップＳ７に進む。
【００２４】
ステップＳ７において、ユーザにより、画面上のエラー箇所の一覧内またはツリー構造内のいずれかのデータ（ファイルまたはフォルダ）が所定の方法（例えば、マウスの右ボタンのダブルクリック）で指定され、編集可能な状態で開かれる。そして、そのデータに対して修正作業（変更作業）が行われる。
【００２５】
そのデータに対する修正作業が終了し、そのデータをセーブ終了すると、ステップＳ８で、データ変更検出機能１８によって、そのセーブがトリガとして検出され、再チェック指示部１９に通知される。
【００２６】
その通知を受けた再チェック指示部１９は、ステップＳ９で、上記チェック結果記憶装置１４内の該エラーの発生箇所に対応するエラー検出処理を用いて該エラーの発生箇所に再チェックを行うようにデータチェック機能１３に指示する。
【００２７】
より具体的には、通知を受けた再チェック指示部１９は、そのセーブ終了したファイルに対応するチェック結果記憶装置１４内のエラーの発生箇所の全てについて、対応するエラー検出処理を取得し、その取得したエラー検出処理を用いて、そのセーブしたファイルに再チェックを行うようにデータチェック機能１３に指示する。
【００２８】
ステップＳ１０において、この再チェックの結果を画面表示に反映させるべく、リスト表示部１６によってエラー発生箇所の一覧の表示が更新される。その後、ステップＳ６に戻る。
【００２９】
図４は、リスト表示部１６およびツリー表示部１７による画面表示例である。
図４に示されるように、ツリー表示部１７によって、電子データ読み取り機能１２によって取得されたツリー構造が画面左側に表示され、また、リスト表示部１６によって、チェック結果記憶装置１４に格納されているエラー発生箇所の一覧（リスト）が画面右側に表示される。
【００３０】
図４の画面右側に示されるツリー構造には、エラーの有無を問わず、チェック対象となった全てのデータ（ファイルまたはフォルダ）が示されているが、図に示されるように、エラーが発生したファイル、エラーが発生したファイルを少なくとも１つ含むフォルダを他のファイルまたはフォルダと異なる表示（この場合、太字）にて表示させてもよい。
【００３１】
なお、図４の画面右側に示されるツリー構造において、ファイル名の右側の括弧内の数字は、そのファイル内でのエラー数を示す。例えば、“ＤＲＡＷＩＮＧ．ＸＭＬ（１）”はファイル“ＤＲＡＷＩＮＧ．ＸＭＬ”内に１つのエラーが含まれることを示す。また、フォルダ名の右側の括弧内の数字は、そのフォルダ内に含まれるエラーを含むファイル数を示す。例えば、“ＤＲＡＷＩＮＧ（１）”はフォルダ“ＤＲＡＷＩＮＧ”内にエラーが含まれるファイルが１つあることを示す。
【００３２】
このような表示方式を採用することで、データ（ファイルまたはフォルダ）内でのエラー発生箇所が分かり易くなり、エラーの修正作業の行うユーザの負担が軽減される。
図４の画面右側に示されるエラー発生箇所の一覧には、個々の場所について、エラーの種類と内容とが表示される。例えば、図では、フォルダ“ＤＲＡＷＩＮＧ”内のファイル“ＤＲＡＷＩＮＧ．ＸＭＬ”に、ＰＤＦファイルに関するエラー“ＰＤＦエラー”で、図面番号が規定される文字数以内に収まっていないことを示す“［図面番号］は３文字以内で記入して下さい”というエラーが発生していることが示されている。
【００３３】
また、フォルダ“ＲＥＰＯＲＴ”内のファイル“ＲＥＰＯＲＴ０１．ＰＤＦ”に、ＸＭＬ要素内容に関するエラー“ＸＭＬ要素内容”で、作成することが規定されているしおりが作成されていないことを示す“しおりが作成されていません”という内容のエラーが発生していることが示されている。
【００３４】
なお、図４の画面右側において、メディア欄には、メディア、すなわち、可搬送型記憶媒体（ＣＤ−Ｒ等）の番号が示されている。このような電子納品においては、通常、メディア総枚数という項目が設けられていて、そこに、１案件に関する複数の電子ファイルがいくつのメディアに渡って格納されるかを示すメディア総枚数を指定することになっている。メディア総枚数は当然、１以上の整数である。すなわち、図４においては、エラー発生箇所の一覧に表示されるエラーはいずれも１枚目のメディアに格納される電子データのいずれかにおいて発生したことが示されている。
【００３５】
１つの案件に対する電子データが複数のメディアに渡って格納される場合は、上記メディア総枚数を本システムで参照して後続の、例えば、２枚目、３枚目のメディアを読み取り装置（駆動装置）に挿入することを促すメッセージを画面上に表示する。
【００３６】
この場合、まず、１枚目のメディアが挿入され、その１枚目のメディアについて、ツリー構造と、エラー発生箇所の情報と、エラーが含まれるデータのパスと、エラーが含まれるファイルとが、記憶領域に格納され、続いて、２枚目のメディアが挿入され、その２枚目のメディアについて、ツリー構造と、エラー発生箇所の情報と、エラーが含まれるデータのパスと、エラーが含まれるファイルとが、記憶領域に格納される等する。
【００３７】
図４のツリー表示部分またはリスト表示部分のいずれかの項目をユーザが例えばマウス等の指定手段を用いて指定した場合に、他方の対応部分の項目の表示を変更するようにしてもよい。
【００３８】
例えば、リスト表示部分の１行目のＰＤＦエラーが選択されたときは、その１行目の表示が変更されるとともに、その１行目に対応するツリー表示部分の対応箇所、すなわち、太字で表示された“ＲＥＰＯＲＴ０１．ＰＤＦ（１）”の表示が変更される。また、逆に、ツリー表示部分において、“ＲＥＰＯＲＴ０１．ＰＤＦ（１）”が選択されたときは、その“ＲＥＰＯＲＴ０１．ＰＤＦ（１）”の表示が変更されるとともに、リスト表示部分の対応箇所、すなわち、１行目のＰＤＦエラーについての表示が変更される。
【００３９】
なお、図４の例とは異なり、１つのファイル内に複数のエラーが含まれる場合に、エラー発生箇所一覧において、そのファイルのいずれかのエラー項目が選択されたとき、該選択された項目および選択された項目と同じファイルに含まれる項目を他の項目のエラーと異なる表示に変更するようにしてもよい。この場合さらに、前記選択された項目および選択された項目と同じファイルに含まれる項目との表示を互いに異ならせるようにしてもよい。
【００４０】
なお、図４では、ツリー構造とエラー発生箇所一覧の双方が表示されているが、エラー発生箇所一覧のみを表示するようにしてもよい。この場合、例えば、あるファイルで複数のエラーが発生している（検出されている）場合、そのファイルのいずれかのエラー項目が選択されたとき、該選択された項目および選択された項目と同じファイルに含まれる項目を他の項目のエラーと異なる表示に変更するようにしてもよい。そして、さらに、前記選択された項目および選択された項目と同じファイルに含まれる項目との表示を互いに異ならせるようにしてもよい。
【００４１】
なお、図４では、ツリー構造とエラー発生箇所一覧の双方が表示されているが、ツリー構造のみを表示するようにしてもよい。この場合、チェック結果記憶装置１４の内容に基づいて、そのツリー構造において、エラーが発生したファイル、エラーが発生したファイルを少なくとも１つ含むフォルダを他のファイルまたはフォルダと異なる表示に変更するようにしてもよい。
【００４２】
さらに、そのツリー構造上のエラーが発生したファイルを第１の方法（例えば、ダブルクリック）で指定した場合に、そのエラーが発生したファイルが編集可能な状態で開かれるようにしてもよい。また、そのツリー構造上のエラーが発生したファイルを第２の方法（例えば、右クリック）で指定した場合に、そのエラーが発生したファイルに含まれるエラーの発生箇所の一覧がメニュー表示されるようにしてもよい。
【００４３】
なお、表示の変更とは、太字での表示、表示色の変更、強調表示、反転表示のいずれかまたはそれらの組み合わせ等である。
図５は、本実施形態における各処理をコンピュータに実行させるプログラムが格納される記憶媒体例を示す図である。
【００４４】
図５に示すように、上記記憶媒体には、ＣＤ−ＲＯＭ、フレキシブルディスク（ＭＯ、ＤＶＤ、リムーバブルハードディスク等であってもよい）等の媒体駆動装置４７に脱着可能な可搬記憶媒体４６、ネットワーク回線４３経由でプログラムが送信される外部の装置（サーバ等）内の記憶手段（データベース等）４２、情報処理装置４１の本体４４内のメモリ（ＲＡＭまたはハードディスク等）４５、が含まれる。本実施形態の各処理を行うプログラムは、上記記憶媒体から本体４４内のメモリ４５にロードされ実行される。
【００４５】
（付記１）  電子データが予め定められた要領・基準に従って作成されているか管理する処理をコンピュータが実行する方法において、
電子データが前記要領・基準に従って作成されているかについて、前記電子データの種別に対応する１以上のエラー検出処理を用いてチェックし、
前記要領・基準に従って作成されていない箇所であるエラーの発生箇所とそのエラーを検出したエラー検出処理とを対応付けて前記コンピュータの記憶手段に格納する、ことを特徴とするデータチェック管理方法。
【００４６】
（付記２）  さらに、前記エラーの発生箇所への変更を検出し、
前記エラーの発生箇所への変更が検出された場合に、前記コンピュータの記憶手段内の該エラーの発生箇所に対応するエラー検出処理を用いて該エラーの発生箇所に再チェックを行う、ことを特徴とする付記１記載のデータチェック管理方法。
【００４７】
（付記３）  前記エラーの発生箇所への変更は、修正したファイルへのセーブ終了をトリガとして検出され、
前記再チェックにおいて、
そのセーブ終了したファイルに対応する前記記憶手段内のエラーの発生箇所の全てについて、対応するエラー検出処理を取得し、
その取得したエラー検出処理を用いて、そのセーブしたファイルに再チェックを行う、ことを特徴とする付記２記載のデータチェック管理方法。
【００４８】
（付記４）  さらに、複数の電子データから構成されるチェック対象が可搬型記憶媒体に格納される場合に、該可搬送型記憶媒体内の複数の電子データのツリー構造を取得し、かつ、その取得したツリー構造を表示し、
前記エラーの発生箇所の一覧を表示する、ことを特徴とする付記１記載のデータチェック管理方法。
【００４９】
（付記５）  さらに、前記ツリー構造または前記一覧のいずれかの項目が選択されたときに、他方の対応部分の表示を変更する、ことを特徴とする付記４記載のデータチェック管理方法。
【００５０】
（付記６）  さらに、前記記憶手段の内容に基づいて、前記ツリー構造において、エラーが発生したファイル、エラーが発生したファイルを少なくとも１つ含むフォルダを他のファイルまたはフォルダと異なる表示に変更する、ことを特徴とする付記４記載のデータチェック管理方法。
【００５１】
（付記７）  さらに、前記一覧中から選択された項目に対応するファイルに複数のエラーが含まれる場合に、該選択された項目および選択された項目と同じファイルに含まれる項目を他の項目と異なる表示に変更し、
前記選択された項目および選択された項目と同じファイルに含まれる項目とを異なる表示に変更する、ことを特徴とする付記４記載のデータチェック管理方法。
【００５２】
（付記８）  さらに、複数の電子データから構成されるチェック対象が可搬型記憶媒体に格納される場合に、該可搬送型記憶媒体内の複数の電子データのツリー構造を取得し、かつ、その取得したツリー構造を表示し、
前記記憶手段の内容に基づいて、前記ツリー構造において、エラーが発生したファイル、エラーが発生したファイルを少なくとも１つ含むフォルダを他のファイルまたはフォルダと異なる表示に変更する、ことを特徴とする付記１記載のデータチェック管理方法。
【００５３】
（付記９）  さらに、前記ツリー構造上のエラーが発生したファイルを第１の方法で指定した場合には、前記エラーが発生したファイルを編集可能な状態で開き、
前記ツリー構造上のエラーが発生したファイルを第２の方法で指定した場合には、前記エラーが発生したファイルに含まれるエラーの発生箇所の一覧をメニュー表示する、ことを特徴とする付記８記載のデータチェック管理方法。
【００５４】
（付記１０）  さらに、エラーが発生したファイルについて、前記ツリー構造上のそのファイル名の右側の括弧内に該ファイルに含まれるエラー数を表示する、ことを特徴とする付記８記載のデータチェック管理方法。
【００５５】
（付記１１）  さらに、エラーが発生したファイルを少なくとも１つ含むフォルダについて、前記ツリー構造上のそのフォルダ名の右側の括弧内に該フォルダ内のエラーを含むファイル数を表示する、ことを特徴とする付記８記載のデータチェック管理方法。
【００５６】
（付記１２）  さらに、前記エラーの発生箇所の一覧を表示し、
前記一覧中から選択された項目に対応するファイルに複数のエラーが含まれる場合に、該選択された項目および選択された項目と同じファイルに含まれる項目を他の項目と異なる表示に変更し、
前記選択された項目および選択された項目と同じファイルに含まれる項目とを異なる表示に変更する、ことを特徴とする付記１記載のデータチェック管理方法。
【００５７】
（付記１３）  電子データが予め定められた要領・基準に従って作成されているか管理する処理をコンピュータに実現させるプログラムにおいて、
電子データが前記要領・基準に従って作成されているかについて、前記電子データの種別に対応する１以上のエラー検出処理を用いてチェックするステップと、
前記要領・基準に従って作成されていない箇所であるエラーの発生箇所とそのエラーを検出したエラー検出処理とを対応付けて前記コンピュータの記憶手段に格納するステップと、
を前記コンピュータに実行させることを特徴とするデータチェック管理プログラム。
【００５８】
（付記１４）  前記エラーの発生箇所への変更を検出するステップと、
前記エラーの発生箇所への変更が検出された場合に、前記コンピュータの記憶手段内の該エラーの発生箇所に対応するエラー検出処理を用いて該エラーの発生箇所に再チェックを行うステップと、をさらに前記コンピュータに実行させることを特徴とする付記１３記載のデータチェック管理プログラム。
【００５９】
（付記１５）  前記エラーの発生箇所への変更は、修正したファイルへのセーブ終了をトリガとして検出され、
前記再チェックを行うステップは、
そのセーブ終了したファイルに対応する前記記憶手段内のエラーの発生箇所の全てについて、対応するエラー検出処理を取得するステップと、
その取得したエラー検出処理を用いて、そのセーブしたファイルに再チェックを行うステップと、を備えることを特徴とする付記１４記載のデータチェック管理プログラム。
【００６０】
（付記１６）  複数の電子データから構成されるチェック対象が可搬型記憶媒体に格納される場合に、該可搬送型記憶媒体内の複数の電子データのツリー構造を取得し、かつ、その取得したツリー構造を表示するステップと、
前記エラーの発生箇所の一覧を表示するステップと、をさらに前記コンピュータに実行させることを特徴とする付記１３記載のデータチェック管理プログラム。
【００６１】
（付記１７）  前記ツリー構造または前記一覧のいずれかの項目が選択されたときに、他方の対応部分の表示を変更するステップと、をさらに前記コンピュータに実行させることを特徴とする付記１６記載のデータチェック管理プログラム。
【００６２】
（付記１８）  前記記憶手段の内容に基づいて、前記ツリー構造において、エラーが発生したファイル、エラーが発生したファイルを少なくとも１つ含むフォルダを他のファイルまたはフォルダと異なる表示に変更するステップと、をさらに前記コンピュータに実行させることを特徴とする付記１６記載のデータチェック管理プログラム。
【００６３】
（付記１９）  前記一覧中から選択された項目に対応するファイルに複数のエラーが含まれる場合に、該選択された項目および選択された項目と同じファイルに含まれる項目を他の項目と異なる表示に変更するステップと、
前記選択された項目および選択された項目と同じファイルに含まれる項目とを異なる表示に変更するステップと、をさらに前記コンピュータに実行させることを特徴とする付記１６記載のデータチェック管理プログラム。
【００６４】
（付記２０）  複数の電子データから構成されるチェック対象が可搬型記憶媒体に格納される場合に、該可搬送型記憶媒体内の複数の電子データのツリー構造を取得し、かつ、その取得したツリー構造を表示するステップと、
前記記憶手段の内容に基づいて、前記ツリー構造において、エラーが発生したファイル、エラーが発生したファイルを少なくとも１つ含むフォルダを他のファイルまたはフォルダと異なる表示に変更するステップと、をさらに前記コンピュータに実行させることを特徴とする付記１３記載のデータチェック管理プログラム。
【００６５】
（付記２１）  前記ツリー構造上のエラーが発生したファイルを第１の方法で指定した場合には、前記エラーが発生したファイルを編集可能な状態で開くステップと、
前記ツリー構造上のエラーが発生したファイルを第２の方法で指定した場合には、前記エラーが発生したファイルに含まれるエラーの発生箇所の一覧をメニュー表示するステップと、をさらに前記コンピュータに実行させることを特徴とする付記２０記載のデータチェック管理プログラム。
【００６６】
（付記２２）  エラーが発生したファイルについて、前記ツリー構造上のそのファイル名の右側の括弧内に該ファイルに含まれるエラー数を表示するステップ、をさらに前記コンピュータに実行させることを特徴とする付記２０記載のデータチェック管理プログラム。
【００６７】
（付記２３）  エラーが発生したファイルを少なくとも１つ含むフォルダについて、前記ツリー構造上のそのフォルダ名の右側の括弧内に該フォルダ内のエラーを含むファイル数を表示するステップ、をさらに前記コンピュータに実行させることを特徴とする付記２０記載のデータチェック管理プログラム。
【００６８】
（付記２４）  前記エラーの発生箇所の一覧を表示するステップと、
前記一覧中から選択された項目に対応するファイルに複数のエラーが含まれる場合に、該選択された項目および選択された項目と同じファイルに含まれる項目を他の項目と異なる表示に変更するステップと、
前記選択された項目および選択された項目と同じファイルに含まれる項目とを異なる表示に変更するステップと、をさらに前記コンピュータに実行させることを特徴とする付記１３記載のデータチェック管理プログラム。
【図面の簡単な説明】
【００６９】
【図１】本発明の一実施形態のデータチェック管理装置の構成を示すブロック図である。
【図２】データチェック機能の処理結果としてチェック結果記憶装置に出力されるエラーリスト例である。
【図３】データチェック処理のフローチャートである。
【図４】リスト表示部およびツリー表示部による画面表示例である。
【図５】記憶媒体例を示す図である。
【符号の説明】
【００７０】
１１  （可搬型記憶媒体に格納される）チェック対象データ
１２  電子データ読み取り機能
１３  データチェック機能
１４  チェック結果記憶装置
１５  表示機能
１６  リスト表示部
１７  ツリー表示部
１８  データ変更検出機能
１９  再チェック指示部
【図１】
2006172313.tif 000003
【図２】
2006172313.tif 000004
【図３】
2006172313.tif 000005
【図５】
2006172313.tif 000006
【図４】
2006172313.tif 000007